(57)【要約】【課題】車載の電子機器間で安定した通信が可能なツイストペアケーブル用コネクタを提供する。【解決手段】第１ケーブル５１と接続される第１ケーブル接続部３１と、第１端子部２１と、第１ケーブル接続部３１と第１端子部２１との間に設けられる第１連結部１１と、第２ケーブル５２と接続される第２ケーブル接続部３２と、第２端子部２２と、第２ケーブル接続部３２と第２端子部２２との間に設けられる第２連結部１２と、を備えたツイストペアケーブル用コネクタ１００であって、第１端子部２１と第２端子部２２とが、第１方向Ｄ１に間隔を設けて並列に配置されて、第１方向Ｄ１に直交する第２方向Ｄ２に延在し、第１ケーブル接続部３１と第２ケーブル接続部３２とは、第１方向Ｄ１に間隔を設けて、第１方向Ｄ１に交差する方向に延在するように配設されている。【選択図】図２
2019175543.tif 000002
【特許請求の範囲】
【請求項１】
ツイストペアケーブルの第１ケーブルと接続される第１ケーブル接続部、および接続部となる第１端子部、および前記第１ケーブル接続部と前記第１端子部との間に設けられる第１連結部とを有する第１コネクタ端子と、
ツイストペアケーブルの第２ケーブルと接続される第２ケーブル接続部、および接続部となる第２端子部、および前記第２ケーブル接続部と前記第２端子部との間に設けられる第２連結部とを有する第２コネクタ端子と、を備えたツイストペアケーブル用コネクタであって、
前記第１端子部と前記第２端子部とが、第１方向に間隔を設けて並列に配置されて、前記第１方向に直交する第２方向に延在し、
前記第１ケーブル接続部と前記第２ケーブル接続部とは、前記第１方向に間隔を設けて、前記第２方向に交差する方向に延在するように配設されていることを特徴とするツイストペアケーブル用コネクタ。
【請求項２】
前記第１ケーブル接続部と前記第２ケーブル接続部とは、前記第１方向に沿って互いに離れる向きに延在するように配設されていることを特徴とする請求項１に記載のツイストペアケーブル用コネクタ。
【請求項３】
前記第１ケーブル接続部と前記第２ケーブル接続部とは、前記第１方向および前記第２方向に垂直な第３方向に沿って、それぞれ向きが揃うように配設されていることを特徴とする請求項１に記載のツイストペアケーブル用コネクタ。
【請求項４】
前記第１連結部と前記第２連結部とは、互いに交差するように配設されていることを特徴とする請求項１乃至請求項３のいずれかに記載のツイストペアケーブル用コネクタ。
【請求項５】
前記第１ケーブル接続部と前記第１端子部との間および前記第２ケーブル接続部と前記第２端子部との間に配設された絶縁部を備え、
前記第１連結部と前記第２連結部とが前記絶縁部に固定されていることを特徴とする請求項１乃至請求項４のいずれかに記載のツイストペアケーブル用コネクタ。
【請求項６】
前記第１コネクタ端子の前記第１ケーブル接続部、前記第１端子部および前記第１連結部は、一体で形成されており、
前記第２コネクタ端子の前記第２ケーブル接続部、前記第２端子部および前記第２連結部は、一体で形成されていて、
前記第１コネクタ端子と前記第２コネクタ端子とを一体に保持するハウジングを備えていることを特徴とする請求項１乃至請求項５のいずれかに記載のツイストペアケーブル用コネクタ。
【発明の詳細な説明】
【技術分野】
【０００１】
本発明は、ツイストペアケーブル用コネクタに関し、特に、車載用ネットワーク等に使用されるツイストペアケーブル用コネクタに関する。
【背景技術】
【０００２】
近年、車両の安全性を高めるために車両制御の向上が求められ、より高速、且つ、高信頼性の車載制御系のネットワークが必要となっている。また、車載情報系ネットワークでは、高品位の映像や音声の同時ストリーミングや、カメラシステムのデジタル化等に伴って通信量が増大している。そこで、制御系と情報系の領域をカバーできる高速の通信伝送速度に対応できる車載用ネットワークの標準規格が策定されている。
【０００３】
この車載用ネットワークの標準規格に対応する車載の電子機器間を接続する通信伝送路として、ツイストペアケーブルが採用された。この標準規格に対応するツイストペアケーブルは、２本の被覆電線を所定のツイストピッチで交互により合わせた１対のケーブルから成り、通信伝送路として使用するため、所定の特性インピーダンス（例えば、１００Ω）になるように形成されている。また、ツイストペアケーブルの特性インピーダンスは、２本の被覆電線間の距離、被覆電線の線径、ツイストピッチ等から設定されている。
【０００４】
ツイストペアケーブルは、各被覆電線に流れる電流によって発生する磁界の向きがツイストピッチ毎に逆向きになるため、互いに磁界を打ち消すことができる。これにより、ツイストペアケーブルは、電磁誘導の影響を少なくすることができ、シールド無しでも放射ノイズ等を減少させることができる。
【０００５】
通信伝送速度が高速となるので、車載の電子機器間を接続する通信伝送路の一部であるツイストペアケーブル用コネクタは、特性インピーダンスをツイストペアケーブルと同じにする必要がある。特性インピーダンスが違うと、ツイストペアケーブルとツイストペアケーブル用コネクタとの間でミスマッチ（特性インピーダンスの不連続）が発生して、放射ノイズ等が悪化して車載の電子機器間の通信が不安定になるおそれがある。
【０００６】
上述のようなツイストペアケーブル用コネクタとして、特許文献１では、図１４に示すような電線接続端子９００が提案されている。図１４は、従来例の電線接続端子９００の分解斜視図である。電線接続端子９００は図１４に示すように、導電性材料で作製された同一形状構造を有する１対の電線接続端子９００から成り、電線接続端子９００の前部に雄型電気接触部９１０と、中間部に雌型電気接触部９２０と、後部に電線接続部９３０と、がそれぞれ形成されている。
【０００７】
被覆電線ＴＣの端部は、被覆を剥いた状態にして電線接続部９３０と当接して接続されている。これにより、電線接続端子９００と被覆電線ＴＣとが電気的に導通している。
【先行技術文献】
【特許文献】
【０００８】
【特許文献１】実開昭６１−１９４２６９号公報
【発明の概要】
【発明が解決しようとする課題】
【０００９】
しかしながら、従来例における電線接続端子９００を２本並列に配置してツイストペアケーブル用コネクタとして用いた場合に、電線接続部９３０の長さがツイストペアケーブルのツイストピッチより長くなり、通信伝送路の特性インピーダンスが変化（ツイストペアケーブル用コネクタ付近の磁界の向きが互いに打ち消す方向にならない）して、放射ノイズ性能が悪化する等の問題を生じ、電子機器間の通信が不安定になるおそれがあるという課題がある。この関係を図１５モデルで示すが、電線接続部９３０の間隔が長くなり、ツイストペアケーブル用コネクタ内では４本の磁力線で示す大きな磁界が発生し、ツイストペアケーブルの磁界で十分に打ち消せないこととなる。
【００１０】
本発明は、上述した課題を解決するもので、車載の電子機器間で安定した通信が可能なツイストペアケーブル用コネクタを提供することを目的とする。
【課題を解決するための手段】
【００１１】
この課題を解決するために、本発明のツイストペアケーブル用コネクタは、ツイストペアケーブルの第１ケーブルと接続される第１ケーブル接続部、および接続部となる第１端子部、および前記第１ケーブル接続部と前記第１端子部との間に設けられる第１連結部とを有する第１コネクタ端子と、
ツイストペアケーブルの第２ケーブルと接続される第２ケーブル接続部、および接続部となる第２端子部、および前記第２ケーブル接続部と前記第２端子部との間に設けられる第２連結部とを有する第２コネクタ端子と、を備えたツイストペアケーブル用コネクタであって、
前記第１端子部と前記第２端子部とが、第１方向に間隔を設けて並列に配置されて、前記第１方向に直交する第２方向に延在し、
前記第１ケーブル接続部と前記第２ケーブル接続部とは、前記第１方向に間隔を設けて、前記第２方向に交差する方向に延在するように配設されていることを特徴としている。
【００１２】
これによれば、本発明のツイストペアケーブル用コネクタは、第１端子部と第２端子部とが、第１方向に間隔を設けて並列に配置されて、第１方向に直交する第２方向に延在し、第１ケーブル接続部と第２ケーブル接続部とは、第１方向に間隔を設けて第２方向に交差する方向に延在するように配設されているので、第１ケーブル接続部および第２ケーブル接続部の第２方向の長さを短くできる。このため、ツイストペアケーブルのツイストピッチに合わせることが容易となり、通信伝送路の特性インピーダンスの変化を抑制することができる。このことにより、車載の電子機器間で安定した通信が可能なツイストペアケーブル用コネクタを提供することができる。
【００１３】
また、本発明のツイストペアケーブル用コネクタは、前記第１ケーブル接続部と前記第２ケーブル接続部とは、前記第１方向に沿って互いに離れる向きに延在するように配設されていることを特徴としている。
【００１４】
これによれば、本発明のツイストペアケーブル用コネクタは、第１ケーブル接続部と第２ケーブル接続部とは、第１方向に沿って互いに離れる向きに延在するように配設されているので、第２方向の長さを短くできるとともに、ツイストペアケーブルとの間で第２方向への引張り強度が強くなる。このため、ツイストペアケーブルのツイストピッチに合わせることが容易となり、通信伝送路の特性インピーダンスの変化を抑制することができる。
【００１５】
また、本発明のツイストペアケーブル用コネクタは、前記第１ケーブル接続部と前記第２ケーブル接続部とは、前記第１方向および前記第２方向に垂直な第３方向に沿って、それぞれ向きが揃うように配設されていることを特徴としている。
【００１６】
これによれば、本発明のツイストペアケーブル用コネクタは、第１ケーブル接続部と第２ケーブル接続部とは、第１方向および第２方向に垂直な第３方向に沿って、それぞれ向きが揃うように配設されているので、第２方向の長さを短くできる。このため、ツイストペアケーブルのツイストピッチに合わせることが容易となり、通信伝送路の特性インピーダンスの変化を抑制することができる。
【００１７】
また、本発明のツイストペアケーブル用コネクタは、前記第１連結部と前記第２連結部とは、互いに交差するように配設されていることを特徴としている。
【００１８】
これによれば、本発明のツイストペアケーブル用コネクタは、第１連結部と第２連結部とは、互いに交差するように配設されているので、ツイストペアケーブルのより合わせとほぼ同様な構成になる。このため、通信伝送路の特性インピーダンスの変化をより抑制することができる。
【００１９】
また、本発明のツイストペアケーブル用コネクタは、前記第１ケーブル接続部と前記第１端子部との間および前記第２ケーブル接続部と前記第２端子部との間に配設された絶縁部を備え、前記第１連結部と前記第２連結部とが前記絶縁部に固定されていることを特徴としている。
【００２０】
これによれば、本発明のツイストペアケーブル用コネクタは、第１連結部と第２連結部とが絶縁部で固定されているので、絶縁部を介して、第１連結部と第２連結部との距離が安定する。このため、互いに交差する第１連結部と第２連結部との位置関係も安定するので、通信伝送路としての特性インピーダンスの変化を抑制することができる。
【００２１】
また、本発明のツイストペアケーブル用コネクタは、前記第１コネクタ端子の前記第１ケーブル接続部、前記第１端子部および前記第１連結部は、一体で形成されており、前記第２コネクタ端子の前記第２ケーブル接続部、前記第２端子部および前記第２連結部は、一体で形成されていて、前記第１コネクタ端子と前記第２コネクタ端子とを一体に保持するハウジングを備えていることを特徴としている。
【００２２】
これによれば、本発明のツイストペアケーブル用コネクタは、第１コネクタ端子と第２コネクタ端子とを一体に保持するハウジングを備えているので、外部の衝撃から第１コネクタ端子と第２コネクタ端子とを保護するとともに、一方のツイストペアケーブル用コネクタとの間で嵌合（接続）する際に作業がし易い。
【発明の効果】
【００２３】
本発明のツイストペアケーブル用コネクタは、安定した通信が可能である。
【図面の簡単な説明】
【００２４】
【図１】本発明の第１実施形態に係わる雄型と雌型のツイストペアケーブル用コネクタを示す図であり、（ａ）は外観図であり、（ｂ）は、（ａ）からハウジングとカバーを削除した斜視図である。
【図２】本発明の第１実施形態に係わる雄型のツイストペアケーブル用コネクタの分解斜視図である。
【図３】本発明の第１実施形態に係わる雄型のツイストペアケーブル用コネクタからハウジングおよびカバーと絶縁部を削除した図であり、（ａ）は斜視図であり、（ｂ）は、（ａ）のＡ部を拡大した拡大図である。
【図４】（ａ）は、図３（ｂ）の側面図であり、（ｂ）は、平面図である。
【図５】本発明の第１実施形態に係わる雄型のツイストペアケーブル用コネクタの第１コネクタ端子と第２コネクタ端子の斜視図である。
【図６】本発明の第２実施形態に係わる雄型と雌型のツイストペアケーブル用コネクタを示す図であり、（ａ）は外観図であり、（ｂ）は、（ａ）からハウジングとカバーを削除した斜視図である。
【図７】本発明の第２実施形態に係わる雄型のツイストペアケーブル用コネクタの分解斜視図である。
【図８】本発明の第２実施形態に係わる雄型のツイストペアケーブル用コネクタからハウジングおよびカバーと絶縁部を削除した図であり、（ａ）は斜視図であり、（ｂ）は、（ａ）のＢ部を拡大した拡大図である。
【図９】（ａ）は、図８（ｂ）の側面図であり、（ｂ）は、平面図である。
【図１０】本発明の第２実施形態に係わる雄型のツイストペアケーブル用コネクタの第１コネクタ端子と第２コネクタ端子の斜視図である。
【図１１】１対のツイストペアケーブル用コネクタを使用してツイストペアケーブル同士を接続して電流を流した際に発生する磁界の向きを説明する図であり、本発明の第１実施形態の説明図である。
【図１２】比較例の斜視図を示す図である。
【図１３】１対のツイストペアケーブル用コネクタを使用してツイストペアケーブル同士を接続して電流を流した際の本発明の第１実施形態と比較例との放射ノイズのシミュレーション結果である。
【図１４】従来例の雄型と雌型の電線接続端子９００の概略図である。
【図１５】１対のツイストペアケーブル用コネクタに発生する磁界の向きを説明する図であり、従来例における電線接続端子を２本並列に配置した場合の説明図である。
【発明を実施するための形態】
【００２５】
［第１実施形態］
以下に本発明の第１実施形態におけるツイストペアケーブル用コネクタ１００について図１から図５までと図１１から図１３を用いて説明する。尚、以下の説明では、主に雄型のツイストペアケーブル用コネクタ１００について説明する。雌型のツイストペアケーブル用コネクタ１００の雄型コネクタに接続される雌型部以外の構成は同等であり、発明の主要部の構成は同等のため、その詳細な説明は省く。
【００２６】
図１（ａ）は、雄型と雌型のツイストペアケーブル用コネクタ１００の外観図であり、（ｂ）は、（ａ）からハウジング６０とカバー６１を削除した斜視図である。図２は、雄型のツイストペアケーブル用コネクタ１００の分解斜視図である。図３は、図２のツイストペアケーブル用コネクタ１００からハウジング６０およびカバー６１と絶縁部４０を削除した図であり、（ａ）は斜視図であり、（ｂ）は、（ａ）のＡ部を拡大した拡大図である。図４（ａ）は、図３（ｂ）の側面図であり、（ｂ）は、平面図である。図５は、ツイストペアケーブル用コネクタ１００の第１コネクタ端子Ｐ１と第２コネクタ端子Ｐ２の斜視図である。図１１は、１対のツイストペアケーブル用コネクタ１００を使用してツイストペアケーブル５０同士を接続して電流を流した際に発生する磁界の向きを説明する説明図である。図１２は比較例を示す図である。図１３は、１対のツイストペアケーブル用コネクタ１００を使用してツイストペアケーブル５０同士を接続して電流を流した際の本発明と比較例との放射ノイズのシミュレーション結果である。
【００２７】
本発明のツイストペアケーブル用コネクタ１００は、図１に示すように２組のツイストペアケーブル５０（第１ケーブル５１、第２ケーブル５２）を接続して、電気的に導通させるコネクタである。
【００２８】
ツイストペアケーブル用コネクタ１００は図２および図３に示すように、２本の被覆電線をより合わせたツイストペアケーブル５０の第１ケーブル５１と接続される第１ケーブル接続部３１と、ツイストペアケーブル５０の第２ケーブル５２と接続される第２ケーブル接続部３２と、相手方（雌型）のツイストペアケーブル用コネクタ１００と接続して電気的に導通する第１端子部２１および第２端子部２２と、第１ケーブル接続部３１と第１端子部２１との間に設けられる第１連結部１１と、第２ケーブル接続部３２と第２端子部２２との間に設けられる第２連結部１２と、後述する第１コネクタ端子Ｐ１と第２コネクタ端子Ｐ２とを固定する絶縁部４０と、第１コネクタ端子Ｐ１および第２コネクタ端子Ｐ２と絶縁部４０とを覆うように包装するハウジング６０およびカバー６１と、を備えている。
【００２９】
ツイストペアケーブル５０の第１ケーブル５１と第２ケーブル５２とは、図１に示すように芯線の周囲を絶縁部材で被覆した電線である。芯線は、銅材等で形成されている。また、ツイストペアケーブル５０は、第１ケーブル５１と第２ケーブル５２とを有して、所定の特性インピーダンスに設定されている。
【００３０】
第１ケーブル５１の第１先端部５１ａと第２ケーブル５２の第２先端部５２ａとは、図２に示すように電線の被覆が剥かれた芯線であり、第１方向Ｄ１（Ｘ方向）に沿って互いに離れる向きに延在するように配設されている。
【００３１】
ツイストペアケーブル用コネクタ１００の第１コネクタ端子Ｐ１は、導電性の高い銅合金を主成分とした金属板材を用いて金型等でプレス加工されて作製されており、図５に示すように長方体に形成されている。また、第１コネクタ端子Ｐ１は、図５に示すように第１ケーブル接続部３１と、第１連結部１１と、第１端子部２１と、が直列に接続され一体で形成されている。
【００３２】
第１コネクタ端子Ｐ１の第１端子部２１は図４（ｂ）に示すように、第１ケーブル接続部３１と直交する第２方向Ｄ２（Ｙ方向）に延出して、相手方の端子部と接続される部分である。
【００３３】
第１コネクタ端子Ｐ１の第１連結部１１は、図５に示すように、第１端子部２１と第１ケーブル接続部３１とを連結する部分である。また、第１連結部１１は絶縁部４０に埋設され、絶縁部４０に対して確実に固定されている。
【００３４】
第１コネクタ端子Ｐ１の第１ケーブル接続部３１と後述する第２コネクタ端子Ｐ２の第２ケーブル接続部３２とは、図５に示すように第１方向Ｄ１に間隔を設け、第２方向Ｄ２に直交する方向に延在するよう配設されていて、第１実施例では、Ｄ１方向に延在するように配設されている。また、第１ケーブル接続部３１と第２ケーブル接続部３２とは、図５に示すように第１方向Ｄ１に沿って互いに離れる向きに延在するように配設されている。本明細書での直交とは、厳密に角度が９０°に限る状態だけでなく、効果を奏する状態で製造上の公差として許容される範囲を含むもので、具体的には９０°±１５°程度である。
【００３５】
第１ケーブル接続部３１は図３から図５に示すように、一部が円筒状に形成されており筒内に第１ケーブル５１の第１先端部５１ａが挿入されている。また、第１ケーブル接続部３１は第１先端部５１ａとかしめ等によって把持して接続されている。
【００３６】
ツイストペアケーブル用コネクタ１００の第２コネクタ端子Ｐ２は、導電性の高い銅合金を主成分とした金属板材を用いて金型等でプレス加工されて作製されており、図５に示すように長方体に形成されている。また、第２コネクタ端子Ｐ２は、図５に示すように第２ケーブル接続部３２と、第２連結部１２と、第２端子部２２と、が直列に接続され一体で形成されている。
【００３７】
第２コネクタ端子Ｐ２の第２端子部２２は図４（ｂ）に示すように、第２ケーブル接続部３２と直交する第２方向Ｄ２に延出して、相手方の端子部と接続される部分である。
【００３８】
第２コネクタ端子Ｐ２の第２連結部１２は、図５に示すように、第２端子部２２と第２ケーブル接続部３２とを連結する部分である。また、第２連結部１２は図１（ｂ）および図５に示すように、絶縁部４０に埋設され、絶縁部４０に対して確実に固定されている。
【００３９】
第２コネクタ端子Ｐ２の第２ケーブル接続部３２は、図３から図５に示すように、一部が円筒状に形成されており筒内に第２ケーブル５２の第２先端部５２ａが挿入されている。また、第２ケーブル接続部３２は第２先端部５２ａとかしめ等によって把持して接続されている。
【００４０】
第１端子部２１と第２端子部２２とは、図４に示すように、第１方向Ｄ１に間隔を設けて並列に配置されて、第１方向Ｄ１に直交する第２方向Ｄ２に延出している。
【００４１】
第１連結部１１と第２連結部１２とは、図５に示すように、第３方向Ｄ３に互いに逆向き切り欠かれた切り欠き部１５が設けられて、互いに交差するように配設されている。また、第１連結部１１は、第１方向Ｄ１および第２方向Ｄ２に直交する第３方向Ｄ３（図５に示すＺ方向）に板状に形成されて、第２連結部１２とは対称形状に形成されている。
【００４２】
第１連結部１１と第２連結部１２とは、図３および図５に示すように、１対の切り欠き部１５が交差して隙間ＧＰができるように配設されている（第１コネクタ端子Ｐ１と第２コネクタ端子Ｐ２とは接続されていない）。
【００４３】
ツイストペアケーブル用コネクタ１００の絶縁部４０は、熱硬化性樹脂材を用いて形成される。具体的には、第１連結部１１と第２連結部１２とを図３（ｂ）および図５に示すように、１対の切り欠き部１５が交差して隙間ＧＰができるように配設した状態で、第１連結部１１と第２連結部１２を熱硬化性樹脂材中にインサート成形する。これにより、絶縁部４０は図２に示すように、概ね直方体に形成され、第１コネクタ端子Ｐ１と第２コネクタ端子Ｐ２とを電気的に絶縁している。
【００４４】
ツイストペアケーブル用コネクタ１００のハウジング６０は、熱可塑性樹脂材を用いて射出成形等にて作製され、図２に示すように箱形の形状に形成されている。
【００４５】
ツイストペアケーブル用コネクタ１００のカバー６１は、熱可塑性樹脂材を用いて射出成形等にて作製され、図２に示すように箱形の形状に形成されている。また、カバー６１はハウジング６０とともに、第１コネクタ端子Ｐ１および第２コネクタ端子Ｐ２と絶縁部４０とを一体に保持して外部衝撃等から保護している。
【００４６】
従って、ツイストペアケーブル用コネクタ１００は、ツイストペアケーブル５０が延在する第２方向Ｄ２に沿ってケーブル接続部（第１ケーブル接続部３１、第２ケーブル接続部３２）の長さが短く作製されているので、小型化できる。
【００４７】
このように構成された１対のツイストペアケーブル用コネクタ１００を使用して、ツイストペアケーブル５０同士を接続して電流を流した際に発生する磁界の向きは、図１１（ａ）に示すように、ツイストペアケーブル用コネクタ１００付近でも互いに磁界を打ち消すようになる。図１２は比較例であって、第１実施例においては端子接続部、およびツイストペアケーブルの先端部はともに第１方向Ｄ１に延在して形成したが、Ｄ２方向に延在して形成した点が相異し、図１５のモデルと同様、ツイストペアケーブルのピッチに比べて、ケーブル接続部が長くなっている。図１３に本発明の第１実施例と比較例の放射特性を示すが、放射ノイズは比較例と比較して低減された（放射ノイズ性能が良くなる）。
【００４８】
［第２実施形態］
以下に第２実施形態におけるツイストペアケーブル用コネクタ２００について図６から図１０までを用いて説明する。尚、第１実施形態と同一構成については、同一符号を付して詳細な説明は省略する。また、以下の説明では、雄型のツイストペアケーブル用コネクタ２００について説明して、雌型のツイストペアケーブル用コネクタ２００の詳細の説明は省く。
【００４９】
図６は、雄型と雌型のツイストペアケーブル用コネクタ２００の（ａ）は、外観図であり、（ｂ）は、（ａ）からハウジング６５とカバー６６を削除した斜視図である。図７は、雄型のツイストペアケーブル用コネクタ２００の分解斜視図である。図８は、図７のツイストペアケーブル用コネクタ２００からハウジング６５およびカバー６６と絶縁部４０を削除した図であり、（ａ）は斜視図であり、（ｂ）は（ａ）のＢ部を拡大した拡大図である。図９（ａ）は、図８（ｂ）の側面図であり、図９（ｂ）は、平面図である。図１０は、ツイストペアケーブル用コネクタ２００の第３コネクタ端子Ｐ３と第４コネクタ端子Ｐ４の斜視図である。
【００５０】
本発明のツイストペアケーブル用コネクタ２００は、図６に示すように２組のツイストペアケーブル５０（第３ケーブル５３、第４ケーブル５４）を接続して、電気的に導通させるコネクタである。
【００５１】
ツイストペアケーブル用コネクタ２００は図７および図８に示すように、２本の被覆電線をより合わせたツイストペアケーブル５０の第３ケーブル５３と接続される第３ケーブル接続部３３と、ツイストペアケーブル５０の第４ケーブル５４と接続される第４ケーブル接続部３４と、相手方（雌型）のツイストペアケーブル用コネクタ２００と接続して電気的に導通する第１端子部２１および第２端子部２２と、第３ケーブル接続部３３と第１端子部２１との間に設けられる第１連結部１１と、第４ケーブル接続部３４と第２端子部２２との間に設けられる第２連結部１２と、後述する第３コネクタ端子Ｐ３と第４コネクタ端子Ｐ４とを固定する絶縁部４０と、第３コネクタ端子Ｐ３および第４コネクタ端子Ｐ４と絶縁部４０とを覆うように包装するハウジング６５およびカバー６６と、を備えている。
【００５２】
ツイストペアケーブル５０の第３ケーブル５３と第４ケーブル５４とは、図６に示すように芯線の周囲を絶縁部材で被覆した電線である。芯線は、銅材等で形成されている。また、ツイストペアケーブル５０は、第３ケーブル５３と第４ケーブル５４とを有して、所定の特性インピーダンスに設定されている。
【００５３】
第３ケーブル５３の第３先端部５３ａと第４ケーブル５４の第４先端部５４ａとは、図７に示すように電線の被覆が剥かれた芯線であり、第３方向Ｄ３に沿って、それぞれ向きが揃うように配設されている。
【００５４】
ツイストペアケーブル用コネクタ２００の第３コネクタ端子Ｐ３は、導電性の高い銅合金を主成分とした金属板材を用いて金型等でプレス加工されて作製されており、図１０に示すように長方体に形成されている。また、第３コネクタ端子Ｐ３は、図１０に示すように第３ケーブル接続部３３と、第１連結部１１と、第１端子部２１と、が直列に接続され一体で形成されている。
【００５５】
第３コネクタ端子Ｐ３の第１端子部２１は図９（ｂ）に示すように、第３ケーブル接続部３３と直交する第２方向Ｄ２に延出して、相手方の端子部と接続される部分である。
【００５６】
第３コネクタ端子Ｐ３の第１連結部１１は、図１０に示すように、第１端子部２１と第３ケーブル接続部３３とを連結する部分である。また、第１連結部１１は図６（ｂ）および図１０に示すように、絶縁部４０に埋設されて、絶縁部４０に対して確実に固定されている。
【００５７】
第３コネクタ端子Ｐ３の第３ケーブル接続部３３と後述する第４コネクタ端子Ｐ４の第４ケーブル接続部３４とは、図１０に示すように第１方向Ｄ１に間隔を設けて、第１方向Ｄ１および第２方向Ｄ２に垂直（９０°±１５°程度）な第３方向Ｄ３に沿って、それぞれ向きが揃うように配設されている。
【００５８】
第３ケーブル接続部３３は図８から図１０に示すように、一部が円筒状に形成されており筒内に第３ケーブル５３の第３先端部５３ａが挿入されている。また、第３ケーブル接続部３３は第３先端部５３ａとかしめ等によって把持して接続されている。
【００５９】
ツイストペアケーブル用コネクタ２００の第４コネクタ端子Ｐ４は、導電性の高い銅合金を主成分とした金属板材を用いて金型等でプレス加工されて作製されており、図１０に示すように長方体に形成されている。また、第４コネクタ端子Ｐ４は、図１０に示すように第４ケーブル接続部３４と、第２連結部１２と、第２端子部２２と、が直列に接続され一体で形成されている。
【００６０】
第４コネクタ端子Ｐ４の第２端子部２２は図９（ｂ）に示すように、第４ケーブル接続部３４と直交する第２方向Ｄ２に延出して、相手方の端子部と接続される部分である。
【００６１】
第４コネクタ端子Ｐ４の第２連結部１２は、図１０に示すように、第２端子部２２と第４ケーブル接続部３４とを連結する部分である。また、第２連結部１２は図６（ｂ）および図１０に示すように、絶縁部４０に埋設されて、絶縁部４０に対して確実に固定されている。
【００６２】
第４コネクタ端子Ｐ４の第４ケーブル接続部３４は図８から図１０に示すように、一部が円筒状に形成されており筒内に第４ケーブル５４の第４先端部５４ａが挿入されている。また、第４ケーブル接続部３４は第４先端部５４ａとかしめ等によって把持して接続されている。
【００６３】
ツイストペアケーブル用コネクタ２００の絶縁部４０は、熱硬化性樹脂材を用いて第１連結部１１と第２連結部１２とが、図８（ｂ）および図１０に示すように、１対の切り欠き部１５が交差して隙間ＧＰができるように配設して、第１連結部１１と第２連結部１２とをインサート成形する。これにより、絶縁部４０は図２に示すように、概ね直方体に形成され、第３コネクタ端子Ｐ３と第４コネクタ端子Ｐ４とを電気的に絶縁している。
【００６４】
ツイストペアケーブル用コネクタ２００のハウジング６５は、熱可塑性樹脂材を用いて射出成形等にて作製され、図７に示すように箱形の形状に形成されている。
【００６５】
ツイストペアケーブル用コネクタ２００のカバー６６は、熱可塑性樹脂材を用いて射出成形等にて作製され、図７に示すように箱形の形状に形成されている。また、カバー６６はハウジング６５とともに、第３コネクタ端子Ｐ３および第４コネクタ端子Ｐ４と絶縁部４０とを一体に保持して外部衝撃等から保護している。
【００６６】
以上のように構成された本発明の第１実施形態のツイストペアケーブル用コネクタ１００における効果について、以下にまとめて説明する。
【００６７】
本発明のツイストペアケーブル用コネクタ１００は、第１端子部２１と第２端子部２２とが、第１方向Ｄ１に間隔を設けて並列に配置されて、第１方向Ｄ１に直交する第２方向Ｄ２に延在し、第１ケーブル接続部３１と第２ケーブル接続部３２とは、第１方向Ｄ１に間隔を設けて第２方向Ｄ２に交差する方向に延在するように配設されているので、第１ケーブル接続部３１および第２ケーブル接続部３２の第２方向Ｄ２の長さを短くできる。このため、ツイストペアケーブル５０のツイストピッチに合わせることが容易となり、通信伝送路の特性インピーダンスの変化を抑制することができる。このことにより、車載の電子機器間で安定した通信が可能なツイストペアケーブル用コネクタ１００を提供することができる。
【００６８】
また、第１ケーブル接続部３１と第２ケーブル接続部３２とは、第１方向Ｄ１に沿って互いに離れる向きに延在するように配設されているので、第２方向Ｄ２の長さを短くできるとともに、ツイストペアケーブル５０との間で第２方向Ｄ２への引張り強度が強くなる。このため、ツイストペアケーブル５０のツイストピッチに合わせることが容易となり、通信伝送路の特性インピーダンスの変化を抑制することができる。
【００６９】
また、第１連結部１１と第２連結部１２とは、互いに交差するように配設されているので、ツイストペアケーブル５０のより合わせとほぼ同様な構成になる。このため、通信伝送路の特性インピーダンスの変化をより抑制することができる。
【００７０】
また、第１連結部１１と第２連結部１２とが絶縁部４０で固定されているので、絶縁部４０を介して、第１連結部１１と第２連結部１２との距離が安定する。このため、互いに交差する第１連結部１１と第２連結部１２との位置関係も安定するので、通信伝送路としての特性インピーダンスの変化を抑制することができる。
【００７１】
また、第１コネクタ端子Ｐ１と第２コネクタ端子Ｐ２とを一体に保持するハウジング６０とカバー６１とを備えているので、外部の衝撃から第１コネクタ端子Ｐ１と第２コネクタ端子Ｐ２とを保護するとともに、一方のツイストペアケーブル用コネクタ１００との間で嵌合（接続）する際に作業がし易い。
【００７２】
次に、本発明の第２実施形態のツイストペアケーブル用コネクタ２００における効果について、以下にまとめて説明する。
【００７３】
本発明のツイストペアケーブル用コネクタ２００は、第３ケーブル接続部３３と第４ケーブル接続部３４とは、第１方向Ｄ１および第２方向Ｄ２に垂直な第３方向Ｄ３に沿って、それぞれ向きが揃うように配設されているので、第２方向Ｄ２の長さを短くできる。このため、ツイストペアケーブル５０のツイストピッチに合わせることが容易となり、通信伝送路の特性インピーダンスの変化を抑制することができる。
【００７４】
以上のように、本発明の第１実施形態と第２実施形態に係わるツイストペアケーブル用コネクタ（１００、２００）を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００７５】
＜変形例１＞
第１実施形態および第２実施形態では、第１端子部２１および第２端子部２２は、ほぼ角柱状に形成されているが、円柱状に形成されても良い。
【００７６】
＜変形例２＞
第１実施形態および第２実施形態では、ハウジング（６０、６５）とカバー（６１、６６）とは別体でそれぞれ作製しているが、ハウジング（６０、６５）とカバー（６１、６６）とを一体で作製しても良い。
【００７７】
＜変形例３＞
第１実施形態および第２実施形態では、ツイストペアケーブル用コネクタ（１００、２００）の第１コネクタ端子Ｐ１および第２コネクタ端子Ｐ２と第３コネクタ端子Ｐ３および第４コネクタ端子Ｐ４とは、導電性の高い銅合金を主成分とした金属板材を用いたが、ツイストペアケーブル５０の芯線がアルミ材で形成されている場合は、アルミ合金を主成分とした金属板材を用いても良い。
【００７８】
＜変形例４＞
第１実施形態では第１ケーブル接続部３１と第２ケーブル接続部３２は第１方向Ｄ１に一直線状に、第２実施形態では同じ方向に設けたが、９０°などの角度差としても良く、要は最短通電経路から分岐してコネクタ端子とツイストペアケーブルとの接続部が設けられる構成であれば良い。
【符号の説明】
【００７９】
１１    第１連結部
１２    第２連結部
１５    切り欠き部
２１    第１端子部
２２    第２端子部
３１    第１ケーブル接続部
３２    第２ケーブル接続部
３３    第３ケーブル接続部
３４    第４ケーブル接続部
４０    絶縁部
５０    ツイストペアケーブル
５１    第１ケーブル
５１ａ  第１先端部
５２    第２ケーブル
５２ａ  第２先端部
５３    第３ケーブル
５３ａ  第３先端部
５４    第４ケーブル
５４ａ  第４先端部
６０    ハウジング
６１    カバー
６５    ハウジング
６６    カバー
１００  ツイストペアケーブル用コネクタ
２００  ツイストペアケーブル用コネクタ
Ｄ１    第１方向
Ｄ２    第２方向
Ｄ３    第３方向
ＧＰ    隙間
Ｐ１    第１コネクタ端子
Ｐ２    第２コネクタ端子
Ｐ３    第３コネクタ端子
Ｐ４    第４コネクタ端子
【図１】
2019175543.tif 000003
【図２】
2019175543.tif 000004
【図３】
2019175543.tif 000005
【図４】
2019175543.tif 000006
【図５】
2019175543.tif 000007
【図６】
2019175543.tif 000008
【図７】
2019175543.tif 000009
【図８】
2019175543.tif 000010
【図９】
2019175543.tif 000011
【図１０】
2019175543.tif 000012
【図１１】
2019175543.tif 000013
【図１２】
2019175543.tif 000014
【図１３】
2019175543.tif 000015
【図１４】
2019175543.tif 000016
【図１５】
2019175543.tif 000017